(57)【要約】【課題】作業性が良好なダクトの取付構造によって熱交換器の風上側に外気を導入できるようにした空気調和機を提供する。【解決手段】被空調室の壁面にダクト１４を挿通する壁孔を設け、据付板２に前記壁孔に対応する連通孔１６を設け、後部熱交換器１１の風上側となるベース６の背面に、連通孔１６に対応するベース孔１７を設け、ねじ孔２ａを備えた連通孔１６の周縁に前記壁孔を挿通するダクト１４の一端に設けられたダクトフランジ１８を取付けるとともに、据付板２とベース６との間に連通孔１６およびベース孔１７を連通した状態でシールするシール部材２０を設け、ベース孔１７と後部熱交換器１１との間に、一端をダクト１４に対応させた小径部２１とし、他端に大径部２２を形成すると共にその開口端に後部熱交換器１１の冷媒管を挟持する挟持部を一体に形成したデフューザ２３を設けた構成とする。【選択図】　図２
2004138315.tif 000002
【特許請求の範囲】
【請求項１】
被空調室の壁面に固着され、上端部に断面略Ｌ字状の係止爪を備えた据付板により据付設置され、同据付板の係止爪に係脱可能に係止される係止部を背面上部に備え、背面下部に接続配管を収容する収容部を備えたベースと、同ベースの前部に装着され、前面上部に吸込口を備え、前面下部に吹出口を備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を設け、前記据付板に前記壁孔に対応する連通孔を設け、前記後部熱交換器の風上側となる前記ベースの背面に、前記連通孔に対応するベース孔を設け、前記連通孔の周縁に、前記壁孔を挿通するダクトの一端に設けられたダクトフランジを取付け、前記据付板と前記ベース間に、前記連通孔および前記ベース孔を連通した状態でシールするシール部材を設け、前記ベース孔と前記後部熱交換器との間に、一端を前記ベース孔に対応した小径部とし、他端に大径部とし、その開口端に前記後部熱交換器の冷媒管を挟持する挟持部を一体に形成したデフューザを設けてなることを特徴とする空気調和機。
【請求項２】
前記デフューザの小径部と大径部の開口面積比を少なくとも１対２にしてなる請求項１記載の空気調和機。
【請求項３】
前記デフューザの一端に、その内部または入口を開閉する開閉手段を設けてなる請求項１記載の空気調和機。
【請求項４】
前記シール部材が弾性材により筒状に形成され、前記ベースまたは前記据付板に貼着されてなる請求項１記載の空気調和機。
【請求項５】
前記ダクトの他端に、フィルタを着脱可能に設けてなる請求項１記載の空気調和機。
【発明の詳細な説明】
【０００１】
【発明の属する技術分野】
本発明は空気調和機の室内機に係わり、より詳しくは、空気調和機の運転と室内の換気が同時に行えるようにした室内機の外気導入装置に関する。
【０００２】
【従来の技術】
空気調和機の運転と室内の換気が同時に行える従来の空気調和機においては、その室内機が取付けられる取付板と、この取付板が取付けられる壁とに外気導入用のダクトを挿通する孔を設けるとともに、室内機本体の背面に前記ダクトに対応した外気導入用の孔を設け、この孔の周縁部に前記ダクトの開口端に設けられているダクトフランジをねじ止めにより直接に取付ける構成にして（例えば、特許文献１参照）、外気を室内機に導入し、同室内機に設けられた吹出口から室内へ送出するようになっていた。
【０００３】
しかしながら、上記の事例においては、室内機本体の背面にダクトフランジをねじ止めにより直接に取付ける構成であることから、特に室内機本体が大型である場合には、同本体を持ち上げた状態で前記ダクトフランジをねじ止めする必要があり、作業性が非常に悪く、実質的に実施が困難となっていた。また、換気中は室内空気と外気が同時に室内機に取り込まれるが、従来型のダクト構成ではダクトの径および長さによって生じる空気抵抗がそのまま外気の吸込量に影響を及ぼす恐れがあった。
【０００４】
【特許文献１】
特開平３ー８７５３３号公報（第３ー４頁、第１図）
【０００５】
【発明が解決しようとする課題】
本発明においては、上記の問題点に鑑み、取付けの作業性が良好で、安定した外気の導入を可能にする外気導入装置を備えた空気調和機を提供することを目的としている。
【０００６】
【課題を解決するための手段】
本発明は上記の課題を解決するためになされたもので、被空調室の壁面に固着され、上端部に断面略Ｌ字状の係止爪を備えた据付板により据付設置され、同据付板の係止爪に係脱可能に係止される係止部を背面上部に備え、背面下部に接続配管を収容する収容部を備えたベースと、同ベースの前部に装着され、前面上部に吸込口を備え、前面下部に吹出口を備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を設け、前記据付板に前記壁孔に対応する連通孔を設け、前記後部熱交換器の風上側となる前記ベースの背面に、前記連通孔に対応するベース孔を設け、前記連通孔の周縁に、前記壁孔を挿通するダクトの一端に設けられたダクトフランジを取付け、前記据付板と前記ベース間に、前記連通孔および前記ベース孔を連通した状態でシールするシール部材を設け、前記ベース孔と前記後部熱交換器との間に、一端を前記ベース孔に対応した小径部とし、他端に大径部とし、その開口端に前記後部熱交換器の冷媒管を挟持する挟持部を一体に形成したデフューザを設けてなる構成とする。
【０００７】
前記デフューザの小径部と大径部の開口面積比を少なくとも１対２にしてなる構成とする。
【０００８】
前記デフューザの一端に、その内部または入口を開閉する開閉手段を設けてなる構成とする。
【０００９】
前記シール部材が弾性材により筒状に形成され、前記ベースまたは前記据付板に貼着されてなる構成とする。
【００１０】
前記ダクトの他端に、フィルタを着脱可能に設けてなる構成とする。
【００１１】
【発明の実施の形態】
以下、本発明の実施の形態を図１乃至図４に基づいて説明する。
図１は空気調和機の室内機とその据付板の斜視図であり、図２および図３は本発明による外気導入部材を備えた室内機とその据付板の断面図、図４は本発明による外気導入部材と熱交換器との関係を示す要部拡大図である。
【００１２】
図において、Ａは空気調和機の室内機（本体）、１は被空調室の壁面、２は同壁面１に固着し、室内機Ａを据付ける据付板である。
室内機Ａは被空調室の壁面１に固着され、上端部に断面略Ｌ字状の係止爪３を備えた据付板２により据付設置され、同据付板２の係止爪３に係脱可能に係止される係止部４を背面上部に備え、背面下部に接続配管を収容する収容部５を備えたベース６と、同ベース６の前部に装着され、前面上部に吸込口７を備え、前面下部に吹出口８を備えた前面パネル９と、前記吸込口７と吹出口８とを結ぶ空気通路に設けられ、前部熱交換器１０と後部熱交換器１１とで逆Ｖ字状に形成された熱交換器１２と、送風ファン１３と、後で詳しく説明する外気導入装置の一部とを備えた構成になっている。
【００１３】
被空調室の壁面１には外気導入装置のダクト１４を挿通する壁孔１５が設けられ、据付板２には壁孔１５に対応する連通孔１６が設けられ、後部熱交換器１１の風上側となるベース６の背面には連通孔１６に対応するベース孔１７が設けられ、ねじ孔２ａを備えた連通孔１６の周縁には壁孔１５を挿通するダクト１４の一端に設けられたダクトフランジ１８がねじ止めにより取付けられている。なお、ダクト１４の他端には埃その他の侵入を防止するフィルタ１９が着脱可能に設けられている。
【００１４】
据付板２とベース６との間には連通孔１６およびベース孔１７を連通した状態でシールするシール部材２０が設けられ、このシール部材２０は弾性材により筒状に形成されたもので、一端がベース孔１７の周縁に貼着された状態になっている。
【００１５】
ベース孔１７と後部熱交換器１１との間には、一端をベース孔１７に挿通可能な小径部２１とし、他端に大径部２２を形成するとともに、その大径部２２の開口端の左右に後部熱交換器１１の冷媒管１１ａを挟持する挟持部２２ａを一体に形成したデフューザ２３を設けた構成になっている。
【００１６】
デフューザ２３は室内機への外気の流入をより良くするためのものであり、一端をダクト１４に対応した小径部２１とし、他端に大径部２２を設けることによりその内部に負圧を生じさせ、空気の流れを誘発するようになっている。なお、小径部２１と大径部２２の開口面積比は少なくとも１対２であればよいが、図示のものでは略１対８になっている。
【００１７】
また、前記デフューザ２３は外気導入時のみに必要なものであって、通常の冷・暖房運転では本体上部の吸込口７から後部熱交換器１１への風の流れを妨げるものとなるので本実施例では後部熱交換器１１とデフューザ２３の大径部２２の開口端との間に約２ミリの隙間Ｓを設けた構成になっている。
【００１８】
また、デフューザ２３の一端には、その内部を開閉する開閉手段（開閉バルブ）２４が設けられており、例えば、室内換気に関するリモコンの動作に伴って作動するマイクロモータ（図示せず）等の動力源により開閉するようになっている。
なお、開閉バルブ２４は図示の位置に限定するものではなく、デフューザ２３の小径部２１の入口等に設けてもよい、また、開閉動作はモータに頼らず、手動タイプにして外部より操作するようにしてもよい。
【００１９】
以上説明したような外気導入装置であれば、そのダクトフランジ１８が、図２に示すように、本体Ａに係わりなく、据付板２の表面側からねじ孔２ａにねじ止めされるので、従来技術に比べて作業性を格段に向上させることができる。
【００２０】
また、ベース６と据付板２の間には弾性を有する筒状のシール部材２０を用い、ベース孔１７と連通孔１５を連通した状態でシールする構成であるので両者間の機密性能を従来のものに比して格段に向上させることができる。
【００２１】
また、ベース孔１７と後部熱交換器１１との間に小径部２１と大径部２２とからなるデフューザ２３を設けるようにしているので、室内機への外気の流れが良く、従来のものに比して換気の時間を短縮することができる。
【００２２】
【発明の効果】
以上説明したように構成された室内機であるならば、ダクト取付の作業性が向上するだけでなく、室内機への外気の流れも良くなり、換気の運転時間が短縮されるなど、多くの効果が得られる。
【図面の簡単な説明】
【図１】本発明に係わる室内機および同室内機の据付板の斜視図である。
【図２】本発明の実施の形態を示す室内機および同室内機の据付板の断面図である。
【図３】本発明による外気導入装置を備えた室内機の断面図である。
【図４】本発明の実施の形態を示す要部拡大図で、（Ａ）は後部熱交換器とデフューザの側断面図、（Ｂ）後部熱交換器とデフューザの関係を示す背面図である。
【符号の説明】
１　壁面
２　据付板
２ａ　ねじ孔
３　係止爪
４　係止部
６　ベース
７　吸込口
８　吹出口
９　前面パネル
１１　後部熱交換器
１４　ダクト
１５　壁孔
１６　連通孔
１７　ベース孔
１８　ダクトフランジ
１９　フィルタ
２０　シール部材
２１　小径部
２２　大径部
２２ａ　挟持部
２３　デフューザ
２４　開閉手段（開閉バルブ）
【図１】
2004138315.tif 000003
【図２】
2004138315.tif 000004
【図３】
2004138315.tif 000005
【図４】
2004138315.tif 000006